(57)【特許請求の範囲】
【請求項１】
吹出口（１５）から吹き出される吹出空気の流れをコアンダ効果により所定の方向へ誘導可能な空調室内機であって、
表裏の一方の面だけが凸状の湾曲面（３２ａ）を含み、前記吹出空気を前記湾曲面（３２ａ）に沿わせたコアンダ気流にするコアンダ羽根（３２）と、
前記吹出空気が流れる送風路の外に設けられ、空調運転が停止している間及び前記コアンダ羽根（３２）を使用しない通常吹出モードでの運転時に前記コアンダ羽根（３２）を収納する収容部（１３０）と、
前記コアンダ羽根（３２）の姿勢を調整する制御部（４０）と、
を備え、
前記コアンダ羽根（３２）は、回動することによって前記収容部（１３０）から離れ、前記収容部（１３０）から離れるほど自身の後端の高さ位置を低くして、前記吹出空気を前記湾曲面（３２ａ）に沿わせたコアンダ気流にし、
前記制御部（４０）は、上吹きの前記コアンダ気流を生じさせるときは前記湾曲面（３２ａ）が下を向くように前記コアンダ羽根（３２）の姿勢を調整し、下吹きの前記コアンダ気流を生じさせるときは前記湾曲面（３２ａ）が上を向くように前記コアンダ羽根（３２）の姿勢を調整し、
さらに前記制御部（４０）は、前記上吹きの前記コアンダ気流を生じさせるとき、前記コアンダ羽根（３２）の下面前方端における接線が前方上向きとなるまで前記コアンダ羽根（３２）を動作させる、
空調室内機（１０）。
【請求項２】
前記コアンダ羽根（３２）をその長手方向と平行な軸を中心に回転させる駆動部をさらに備え、
前記制御部（４０）は、前記駆動部を介して前記コアンダ羽根（３２）の姿勢を調整する、
請求項１に記載の空調室内機（１０）。
【請求項３】
前記コアンダ羽根（３２）は、バイメタル材で成形されており、自己の温度が所定温度帯を超えたとき、前記湾曲面（３２ａ）が形成される面が前記コアンダ羽根（３２）の表裏の一方から他方に切り換わる、
請求項１に記載の空調室内機（１０）。
【請求項４】
前記制御部（４０）は、冷房運転時、前記コアンダ羽根（３２）の表裏両面に前記吹出空気が導かれるように、前記コアンダ羽根（３２）の姿勢を調整する、
請求項２又は請求項３に記載の空調室内機（１０）。
【請求項５】
前記制御部（４０）は、前記コアンダ羽根（３２）と、前記吹出口（１５）の形成壁の上壁との間に隙間が形成されるように、前記コアンダ羽根（３２）の姿勢を調整する、
請求項４に記載の空調室内機（１０）。
【発明の詳細な説明】
【技術分野】
【０００１】
本発明は、空調室内機に関する。
【背景技術】
【０００２】
従来、上下に回動する風向調整羽根を用いて吹出空気の方向を制御する空調室内機に関する研究が広くなされている。例えば、特許文献１（特開２００４−２３２９４３号公報）に記載の空調室内機では、暖房運転時、吹出口に設けられた風向を上下に調節する上下風向板と、吹出口の下部先端に設けられた上下方向に回動する可動ディフューザとをほぼ垂直方向に回動させ、温風を下向きに送出している。
【発明の概要】
【発明が解決しようとする課題】
【０００３】
しかしながら、上記特許文献１に記載の上下風向板は、吹出空気を下吹きするときの気流押さえとして利用しているだけであり、上吹き時に吹出空気を沿わせてコアンダ気流にするようなことは意図されていない。
【０００４】
本発明の課題は、１つの風向調整羽根をコアンダ気流の上吹き及び下吹きの両方で活用できるようにした空調室内機を提供することにある。
【課題を解決するための手段】
【０００５】
本発明の第１観点に係る空調室内機は、吹出口から吹き出される吹出空気の流れをコアンダ効果により所定の方向へ誘導可能な空調室内機であって、コアンダ羽根と、収容部と、制御部とを備えている。コアンダ羽根は、表裏の一方の面だけが凸状の湾曲面を含み、吹出空気を湾曲面に沿わせたコアンダ気流にする。収容部は、吹出空気が流れる送風路の外に設けられ、空調運転が停止している間及びコアンダ羽根を使用しない通常吹出モードでの運転時にコアンダ羽根を収納する。制御部は、コアンダ羽根の姿勢を調整する。また、コアンダ羽根は、回動することによって収容部から離れ、収容部から離れるほど自身の後端の高さ位置を低くして、吹出空気を湾曲面に沿わせたコアンダ気流にする。さらに制御部は、上吹きのコアンダ気流を生じさせるときは湾曲面が下を向くようにコアンダ羽根の姿勢を調整し、下吹きのコアンダ気流を生じさせるときは湾曲面が上を向くようにコアンダ羽根の姿勢を調整する。さらに制御部は、上吹きのコアンダ気流を生じさせるとき、コアンダ羽根の下面前方端における接線が前方上向きとなるまでコアンダ羽根を動作させる。
【０００６】
この空調室内機では、コアンダ羽根の湾曲面を下に向けることによって、吹出空気は湾曲面に沿った上向きのコアンダ気流になる。また、コアンダ羽根の湾曲面を上に向けることによって、吹出空気は湾曲面に沿った下向きのコアンダ気流になる。つまり、コアンダ羽根は、上吹き及び下吹きの両方で活用される。
【０００７】
本発明の第２観点に係る空調室内機は、第１観点に係る空調室内機であって、駆動部をさらに備えている。駆動部は、コアンダ羽根をその長手方向と平行な軸を中心に回転させる。制御部は、駆動部を介してコアンダ羽根の姿勢を調整する。
【０００８】
この空調室内機では、コアンダ羽根の回転量を制御することによって、コアンダ羽根の湾曲面を下に向けることも、湾曲面を上に向けることも可能であり、コアンダ羽根の上吹きに適した姿勢および下吹きに適した姿勢のいずれにも容易に切り換えることができる。
【０００９】
本発明の第３観点に係る空調室内機は、第１観点に係る空調室内機であって、コアンダ羽根が、バイメタル材で成形されている。コアンダ羽根は、自己の温度が所定温度帯を超えたとき、湾曲面が形成される面がコアンダ羽根の表裏の一方から他方に切り換わる。
【００１０】
この空調室内機では、冷房時の吹出空気の温度範囲で低膨張側が凸の湾曲面となるように成形されたバイメタル材をコアンダ羽根として採用し、湾曲面を下向きにして吹出口近傍に設置する。冷房時は、コアンダ羽根は湾曲面を下にした状態であるので、吹出空気は湾曲面に沿った上向きのコアンダ気流になる。暖房時は、バイメタルが吹出空気によって温度上昇しバイメタルの高膨張側が低膨張側より長くなるので上に凸の湾曲面に反転する。つまり、コアンダ羽根は湾曲面を上にした状態であるので、吹出空気は湾曲面に沿った下向きのコアンダ気流になる。
【００１１】
本発明の第４観点に係る空調室内機は、第２観点または第３観点に係る空調室内機であって、制御部が、冷房運転時、コアンダ羽根の表裏両面に吹出空気が導かれるように、コアンダ羽根の姿勢を調整する。
【００１２】
この空調室内機では、コアンダ羽根の両面に冷風が通過するので、コアンダ羽根への結露が防止される。
【００１３】
本発明の第５観点に係る空調室内機は、第４観点に係る空調室内機であって、制御部が、コアンダ羽根と、吹出口の形成壁の上壁との間に隙間が形成されるように、コアンダ羽根の姿勢を調整する。
【００１４】
この空調室内機では、例えば、冷房時、コアンダ羽根の下面は冷たいコアンダ気流によって冷却され、コアンダ羽根の上面は吹出口上壁との隙間から来る冷たい吹出空気によって冷却される。つまり、コアンダ羽根の両面が冷風で包み込まれるので、片面のみが冷却されて結露するような現象が防止される。
【発明の効果】
【００１５】
本発明の第１観点に係る空調室内機では、コアンダ羽根の湾曲面を下に向けることによって、吹出空気は湾曲面に沿った上向きのコアンダ気流になる。また、コアンダ羽根の湾曲面を上に向けることによって、吹出空気は湾曲面に沿った下向きのコアンダ気流になる。つまり、コアンダ羽根は、上吹き及び下吹きの両方で活用される。
【００１６】
本発明の第２観点に係る空調室内機では、コアンダ羽根の回転量を制御することによって、コアンダ羽根の湾曲面を下に向けることも、湾曲面を上に向けることも可能であり、コアンダ羽根の上吹きに適した姿勢および下吹きに適した姿勢のいずれにも容易に切り換えることができる。
【００１７】
本発明の第３観点に係る空調室内機では、暖房時、バイメタル製のコアンダ羽根が吹出空気によって温度上昇しバイメタルの高膨張側が低膨張側より長くなるので上に凸の湾曲面に反転する。コアンダ羽根は湾曲面を上にした状態となり、吹出空気は湾曲面に沿った下向きのコアンダ気流になる。
【００１８】
本発明の第４観点に係る空調室内機では、コアンダ羽根の両面に冷風が通過するので、コアンダ羽根への結露が防止される。
【００１９】
本発明の第５観点に係る空調室内機では、コアンダ羽根の両面が冷風で包み込まれるので、片面のみが冷却されて結露するような現象が防止される。
【図面の簡単な説明】
【００２０】
【図１】本発明の一実施形態に係る運転停止時の空調室内機の断面図。
【図２Ａ】運転時の空調室内機の断面斜視図。
【図２Ｂ】空調室内機の吹出口周辺の断面斜視図。
【図２Ｃ】空調室内機のコアンダ羽根を含む吹出口周辺の断面斜視図。
【図３Ａ】吹出空気が通常前吹き時の風向調整羽根およびコアンダ羽根の側面図。
【図３Ｂ】吹出空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図３Ｅ】コアンダ気流床吹き時の風向調整羽根およびコアンダ羽根の側面図。
【図３Ｆ】下吹き時の風向調整羽根およびコアンダ羽根の側面図。
【図４Ａ】吹出空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】コアンダ羽根が第１姿勢をとるときのコアンダ気流の風向を示す空調室内機設置空間の側面図。
【図６Ｂ】コアンダ羽根が第２姿勢をとるときのコアンダ気流の風向を示す空調室内機設置空間の側面図。
【図６Ｃ】コアンダ羽根が第４姿勢をとるときのコアンダ気流の風向を示す空調室内機設置空間の側面図。
【図６Ｄ】コアンダ羽根が第６姿勢をとるときのコアンダ気流の風向を示す空調室内機設置空間の側面図。
【図７Ａ】制御部とリモコンとの関係を示すブロック図。
【図７Ｂ】「コアンダ風向設定」メニューの下位メニューを表した表示部の正面図。
【図８Ａ】コアンダ羽根が第３姿勢のときの風向調整羽根とコアンダ羽根の側面図。
【図８Ｂ】コアンダ羽根が第５姿勢のときの風向調整羽根とコアンダ羽根の側面図。
【図９Ａ】第１姿勢をとるコアンダ羽根の斜視図。
【図９Ｂ】第２姿勢をとるコアンダ羽根の斜視図。
【図９Ｃ】第６姿勢をとるコアンダ羽根の斜視図。
【図１０Ａ】変形例に係る空調室内機のコアンダ羽根が下吹き姿勢のときの風向調整羽根とコアンダ羽根の側面図。
【図１０Ｂ】変形例に係る空調室内機のコアンダ羽根が第６姿勢のときの風向調整羽根とコアンダ羽根の側面図。
【発明を実施するための形態】
【００２１】
以下、図面を参照しながら、本発明の実施形態について説明する。なお、以下の実施形態は、本発明の具体例であって、本発明の技術的範囲を限定するものではない。
【００２２】
（１）空調室内機１０の構成
図１は、本発明の一実施形態に係る運転停止時の空調室内機１０の断面図である。また、図２Ａは、運転時の空調室内機１０の断面斜視図である。図１及び図２Ａにおいて、空調室内機１０は壁掛けタイプであり、本体ケーシング１１、室内熱交換器１３、室内ファン１４、底フレーム１６、及び制御部４０が搭載されている。
【００２３】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２４】
天面部１１ａは、本体ケーシング１１の上部に位置し、天面部１１ａの前部には、吸込口（図示せず）が設けられている。
【００２５】
前面パネル１１ｂは本体ケーシング１１の前面部を構成しており、吸込口がないフラットな形状を成している。また、前面パネル１１ｂは、その上端が天面部１１ａに回動自在に支持され、ヒンジ式に動作することができる。
【００２６】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００２７】
本体ケーシング１１の下部には、吹出口１５が設けられている。吹出口１５には、吹出口１５から吹き出される吹出空気の方向を変更する風向調整羽根３１が回動自在に取り付けられている。風向調整羽根３１は、モータ（図示せず）によって駆動され、吹出空気の方向を変更するだけでなく、吹出口１５を開閉することもできる。風向調整羽根３１は、傾斜角が異なる複数の姿勢をとることが可能である。
【００２８】
また、吹出口１５の近傍にはコアンダ羽根３２が設けられている。コアンダ羽根３２は、モータ（図示せず）によって駆動され前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００２９】
また、吹出口１５は、吹出流路１８によって本体ケーシング１１の内部と繋がっている。吹出流路１８は、吹出口１５から底フレーム１６のスクロール１７に沿って形成されている。
【００３０】
室内空気は、室内ファン１４の稼動によって吸込口、室内熱交換器１３を経て室内ファン１４に吸い込まれ、室内ファン１４から吹出流路１８を経て吹出口１５から吹き出される。
【００３１】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００３２】
また、天面部１１ａと室内熱交換器１３との間にはフィルタ清掃装置７０が配置されており、フィルタに付着した塵埃を自動で除去することができる。
【００３３】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００３４】
（２−２）吹出口１５
図１及び図２Ａに示すように、吹出口１５は、本体ケーシング１１の下部に設けられており、横方向（図１紙面と直交する方向）を長辺とする長方形の開口である。吹出口１５の下端は下部水平板１１ｄの前方エッジに近接しており、吹出口１５の下端と上端とを結ぶ仮想面は前方上向きに傾斜している。
【００３５】
図２Ｂは、空調室内機１０の吹出口１５周辺の断面斜視図である。また、図２Ｃは、空調室内機１０のコアンダ羽根３２を含む吹出口１５周辺の断面斜視図である。図２Ｂにおいて、吹出口１５は、形成壁１１５によって形成されている。形成壁１１５は、上壁１１１、下壁１１２、及び左右の側壁１１３，１１４で構成されている。そして、図２Ｃにおいて、コアンダ羽根３２の後端３２２と、形成壁１１５の上壁１１１との間に隙間Ｃが形成されている。
【００３６】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される吹出空気の風向は、スクロール１７の終端Ｆの接線Ｌ０に概ね沿った方向である。
【００３７】
（２−４）垂直風向調整板２０
垂直風向調整板２０は、図１及び図２Ａに示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００３８】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００３９】
（２−５）風向調整羽根３１
風向調整羽根３１は、図１及び図２Ａに示すように、円弧状の部材である。風向調整羽根３１は、凸状の外側湾曲面を含む外側面３１ａと、凹状の内側湾曲面を含む内側面３１ｂを有している。
【００４０】
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２Ａ参照）も、外面にほぼ平行な円弧曲面を成している。
【００４１】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００４２】
ここで、説明の便宜上、空調室内機１０を前面パネル１１ｂ側から視たときの空調室内機１０の右側の側面を空調室内機１０の右側面とし、以後、空調室内機１０を右側面から視ることを「空調室内機１０の右側面視」という。
【００４３】
回動軸３１１が空調室内機１０の右側面視において反時計方向に回動することによって、風向調整羽根３１の上端が吹出口１５の上壁１１１側から遠ざかるように動作して吹出口１５を開ける。逆に、回動軸３１１が空調室内機１０の右側面視において時計方向に回動することによって、風向調整羽根３１の上端が吹出口１５の上壁１１１側へ近づくように動作して吹出口１５を閉じる。
【００４４】
風向調整羽根３１が吹出口１５を開けている状態において、吹出口１５から吹き出された吹出空気は、風向調整羽根３１の内側面３１ｂに概ね沿って流れる。すなわち、スクロール１７の終端Ｆの接線方向に概ね沿って吹き出された吹出空気は、その風向が風向調整羽根３１によってやや上向きに変更される。
【００４５】
（２−６）コアンダ羽根３２
コアンダ羽根３２は、図１及び図２Ａに示すように、円弧状の部材である。コアンダ羽根３２は、凸状湾曲面を含む第１面３２ａと、凹状湾曲面を含む第２面３２ｂを有している。なお、第１面３２ａは、コアンダ羽根３２が収容部１３０に収容されている際に本体ケーシング１１と反対の側に配置される面である。また、第２面３２ｂは、コアンダ羽根３２が収容部１３０に収容されている際に本体ケーシング１１と対向する側に配置される面である。
【００４６】
コアンダ羽根３２は、空調運転が停止している間や後述する通常吹出モードでの運転では収容部１３０に収納されている。コアンダ羽根３２は回動することによって収容部１３０から離れる。コアンダ羽根３２は、収容部１３０から離れるほど、コアンダ羽根３２の下端の高さ位置は低くなるように回転する。また、コアンダ羽根３２が回転して開いたときの傾斜は本体ケーシング１１の前面部の傾斜よりも緩やかである。
【００４７】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００４８】
また、コアンダ羽根３２が空調室内機１０の右側面視において反時計方向に回動することによって、コアンダ羽根３２の上端および下端ともに円弧を描きながら収容部１３０から離れるが、そのとき、コアンダ羽根３２の上端と吹出口１５より上方の収容部１３０との最短距離は、下端と収容部１３０との最短距離より大きい。すなわち、コアンダ羽根３２は前方に行くにしたがって本体ケーシング１１の前面部から離れるような姿勢に制御される。そして、コアンダ羽根３２が空調室内機１０の右側面視において時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００４９】
コアンダ羽根３２が収容部１３０に収容された状態で、コアンダ羽根３２の第１面３２ａの凸状湾曲面３２ａａは前面パネル１１ｂのなだらかな円弧曲面の延長上にあるような外側に凸のなだらかな円弧曲面に仕上げられている。また、コアンダ羽根３２の第２面３２ｂの凹状湾曲面３２ｂｂは、収容部１３０の表面に沿うような円弧曲面に仕上げられている。言い換えれば、収容部１３０は、コアンダ羽根３２の第１面３２ａが本体ケーシング１１の前面部よりも出っ張ることもなく見栄えよくするために、コアンダ羽根３２の第２面３２ｂの形状に沿うように凹状に形成されている。
【００５０】
また、コアンダ羽根３２の長手方向の寸法は、風向調整羽根３１の長手方向の寸法以上となるように設定されている。この理由は風向調整羽根３１で風向調節された吹出空気すべてをコアンダ羽根３２で受けるためであり、その目的はコアンダ羽根３２の側方からの吹出空気がショートサーキットすることを防止することである。
【００５１】
（２−７）フィルタ清掃装置７０
フィルタ清掃装置７０は、少なくともフィルタ７１と、フィルタ駆動ローラー７３と、ブラシ７５と、ダストボックス７７とを含んでいる。フィルタ７１は、フィルタ駆動ローラー７３の回転によって、所定の環状軌道に沿って周回することができる。ブラシ７５は、フィルタ清掃用のブラシであり、フィルタ７１に付着した塵埃を掻き落すため、フィルタ７１を挟んでフィルタ駆動ローラー７３と対向している。ダストボックス７７は、ブラシ７５がフィルタ７１から掻き落した塵埃を溜める。
【００５２】
制御部４０は、空調室内機１０の運転時間をカウントしており、前回のフィルタ清掃運転からの累積運転時間が所定時間（例えば、１８時間）に到達したとき、ブラシ７５を回転させながら、フィルタ７１を所定回数（例えば、１回）だけ周回させる。
【００５３】
その間、ブラシ７５とフィルタ７１とが相対移動するので、ブラシ７５の毛材がフィルタ７１の網目に入り込んで、その網目につまった塵埃を掻き出す。その塵埃は、ブラシ７５が配置されているダストボックス７７内に溜まる。
【００５４】
（３）吹出空気の方向制御
本実施形態の空調室内機は、吹出空気の方向を制御する手段として、風向調整羽根３１のみを回動させて吹出空気の方向を調整する通常吹出モードと、風向調整羽根３１及びコアンダ羽根３２を回動させてコアンダ効果によって吹出空気をコアンダ羽根３２の第１面３２ａ或いは第２面３２ｂに沿わせたコアンダ気流にするコアンダ効果利用モードと、風向調整羽根３１及びコアンダ羽根３２それぞれの先端を前方下向きにして吹出空気を下方に導く下吹きモードを有している。
【００５５】
風向調整羽根３１及びコアンダ羽根３２は、上記各モードにおいて空気の吹出方向ごとに姿勢が変化するので、各姿勢について図３Ａ〜図３Ｆを参照しながら説明する。なお、吹出方向の選択は、ユーザーがリモコン等を介して行なうことができるものとする。また、モードの変更や吹出方向は自動的に変更されるように制御することも可能である。
【００５６】
（３−１）通常吹出モード
通常吹出モードは、風向調整羽根３１のみを回動させて吹出空気の方向を調整するモードであり、「通常前吹き」と「通常前方下吹き」とを含む。
【００５７】
（３−１−１）通常前吹き
図３Ａは、吹出空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側湾曲面３１ｂｂの前方端Ｅ１における接線Ｌ１が略水平になるまで風向調整羽根３１を回動させる。その結果、吹出空気は、前吹き状態となる。
【００５８】
（３−１−２）通常前方下吹き
図３Ｂは、吹出空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００５９】
このとき、制御部４０は、風向調整羽根３１の内側湾曲面３１ｂｂの前方端Ｅ１における接線Ｌ１が水平よりも前下がりになるまで風向調整羽根３１を回動させる。その結果、吹出空気は、前方下吹き状態となる。
【００６０】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」、「コアンダ気流天井吹き」および「コアンダ気流床吹き」を含む。
【００６１】
また、吹出空気の方向およびコアンダ気流の方向については、基準位置の取り方次第で定義の方法が異なるので、以下に一例を示す。但し、それに限定されるものではない。図４Ａは、吹出空気の方向およびコアンダ気流の方向を示す概念図である。図４Ａにおいて、コアンダ羽根３２の第１面３２ａ側にコアンダ効果を生じさせるには、風向調整羽根３１によって変更された吹出空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両羽根３１，３２がその範囲内を成すようにして、上記の関係が成立するようにしている。これにより、図４Ａに示すように、吹出空気の風向が風向調整羽根３１によってＤ１に変更された後、さらにコアンダ効果によりＤ２に変更される。
【００６２】
また、本実施形態のコアンダ効果利用モードでは、コアンダ羽根３２が風向調整羽根３１の前方（吹出の下流側）かつ上方の位置あるのが好ましい。
【００６３】
また、風向調整羽根３１とコアンダ羽根３２との開き角度についても、基準位置の取り方次第で定義の方法が異なるので、以下に一例を示す。但し、それに限定されるものではない。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の第１面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００６４】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角（図５Ａ及び図５Ｂ参照）が、スクロール１７の終端Ｆの接線と風向調整羽根３１とが成す内角よりも大きい、という条件を満たす姿勢をとるのが好ましい。
【００６５】
図５Ａは、コアンダ気流前方吹き時のスクロール１７の終端Ｆの接線Ｌ０とコアンダ羽根３２の凸状湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。図５Ｂは、コアンダ気流天井吹き時のスクロール１７の終端Ｆの接線Ｌ０とコアンダ羽根３２の凸状湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。
【００６６】
図５Ａに示すように、コアンダ効果利用モードにおけるコアンダ羽根３２では、コアンダ羽根３２の凸状湾曲面３２ａａの前方端Ｅ２における接線Ｌ２がほぼ水平で、コアンダ羽根３２の前端および後端が吹出口１５の形成壁１１５の上壁１１１よりも下方に位置するとき、コアンダ羽根３２の後端と吹出口１５の形成壁１１５の上壁１１１との隙間が小さいので、コアンダ羽根３２の第２面３２ｂ上を通過する気流の量は少なく、コアンダ気流の水平方向への誘導が阻害される可能性は小さい。
【００６７】
また、図５Ｂに示すように、コアンダ効果利用モードにおけるコアンダ羽根３２では、コアンダ羽根３２の凸状湾曲面３２ａａの前方端Ｅ２における接線Ｌ２が水平より前方上向で、吹出口１５よりも外側上方に位置する。その結果、コアンダ気流はより遠方に到達する上に、コアンダ羽根３２の第２面３２ｂ上を通過する強い気流の発生は抑制され、コアンダ気流の上方への誘導が阻害されにくい。
【００６８】
また、コアンダ羽根３２の後端部の高さ位置は運転停止時よりも低くなっているので、上流側でのコアンダ効果によるコアンダ気流が生成し易い。
【００６９】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側湾曲面３１ｂｂの前方端Ｅ１における接線Ｌ１が水平よりも前下がりになるまで風向調整羽根３１を回動させる。
【００７０】
次に、制御部４０は、コアンダ羽根３２の第１面３２ａが略水平になる位置までコアンダ羽根３２を回動させる。なお、本願実施形態のようにコアンダ羽根３２の第１面３２ａが円弧曲面をなしている場合は、第１面３２ａの凸状湾曲面３２ａａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７１】
風向調整羽根３１で前方下吹きに調整された吹出空気は、コアンダ効果によってコアンダ羽根３２の第１面３２ａに付着した流れとなり、この第１面３２ａに沿ったコアンダ気流に変わる。
【００７２】
したがって、風向調整羽根３１の内側湾曲面３１ｂｂの前方端Ｅ１における接線Ｌ１方向が前方下吹きであっても、コアンダ羽根３２の凸状湾曲面３２ａａの前方端Ｅ２における接線Ｌ２方向が水平であるので、吹出空気は、コアンダ効果によってコアンダ羽根３２の凸状湾曲面３２ａａの前方端Ｅ２における接線Ｌ２方向、すなわち水平方向に吹き出される。
【００７３】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方下吹きであっても、コアンダ効果によって水平吹きの空気となる。
【００７４】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側湾曲面３１ｂｂの前方端Ｅ１における接線Ｌ１が水平になるまで風向調整羽根３１を回動させる。
【００７５】
次に、制御部４０は、第１面３２ａの凸状湾曲面３２ａａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された吹出空気は、コアンダ効果によってコアンダ羽根３２の第１面３２ａに付着した流れとなり、この第１面３２ａに沿ったコアンダ気流に変わる。
【００７６】
したがって、風向調整羽根３１の内側湾曲面３１ｂｂの前方端Ｅ１における接線Ｌ１方向が前方吹きであっても、コアンダ羽根３２の凸状湾曲面３２ａａの前方端Ｅ２における接線Ｌ２方向が前方上吹きであるので、吹出空気は、コアンダ効果によってコアンダ羽根３２の凸状湾曲面３２ａａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の第２面３２ｂ上を通過する強い気流の発生は抑制され、コアンダ気流の上方への誘導が阻害されにくい。
【００７７】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方吹きであっても、コアンダ効果によって上向きの空気となる。
【００７８】
なお、コアンダ羽根３２の長手方向の寸法は、風向調整羽根３１の長手方向の寸法以上である。それゆえ、風向調整羽根３１で風向調節された吹出空気すべてをコアンダ羽根３２で受けることができ、コアンダ羽根３２の側方から吹出空気がショートサーキットすることが防止されるという効果も奏している。
【００７９】
（３−２−３）コアンダ気流床吹き
図３Ｅは、コアンダ気流床吹き時の風向調整羽根３１及びコアンダ羽根３２の側面図である。図３Ｅにおいて、主に暖房運転時に「コアンダ気流床吹き」が選択されたとき、制御部４０は風向調整羽根３１の内側湾曲面３１ｂｂの前方端Ｅ１における接線Ｌ１が下向きなるまで風向調整羽根３１を回動させる。
【００８０】
次に、制御部４０は、第１面３２ａの凸状湾曲面３２ａａが上向きとなるようにコアンダ羽根３２を回動させる。このとき、コアンダ羽根３２の後端と吹出口１５の形成壁１１５の上壁１１１との間に隙間が形成される。それゆえ、吹出空気は、その隙間からコアンダ羽根３２の凸状湾曲面３２ａａに沿うコアンダ気流と、その隙間を通過せずにコアンダ羽根３２の凹状湾曲面３２ｂｂに沿うコアンダ気流とになる。
【００８１】
凹状湾曲面３２ｂｂに沿うコアンダ気流は、凹状湾曲面３２ｂｂの前方端Ｅ２ｕにおける接線Ｌ２ｕの方向に向って進む床向きの気流である。また、凸状湾曲面３２ａａに沿うコアンダ気流も、凸状湾曲面３２ａａの前方端Ｅ２における接線Ｌ２の方向へ進む床向きの気流である。その結果、凸状湾曲面３２ａａに沿ったコアンダ気流は、凹状湾曲面３２ｂｂに沿ったコアンダ気流に合流して、床吹きとなる。
【００８２】
（３−３）通常下吹きモード
図３Ｆは、下吹き時の風向調整羽根３１及びコアンダ羽根３２の側面図である。図３Ｆにおいて、「下吹き」が選択されたとき、制御部４０は風向調整羽根３１の内側湾曲面３１ｂｂの前方端Ｅ１における接線が下向きなるまで風向調整羽根３１を回動させる。
【００８３】
次に、制御部４０は、凸状湾曲面３２ａａの前方端Ｅ２における接線が下向きとなるまでコアンダ羽根３２を回動させる。その結果、吹出空気は、風向調整羽根３１とコアンダ羽根３２との間を通過し、下向きに吹き出される。
【００８４】
特に、風向調整羽根３１がスクロール１７の終端部の接線角度より下向きになったときでも、制御部４０が下吹きモードを実行することによって、コアンダ羽根３２の第１面３２ａに当てて下向きの気流を生成することができる。
【００８５】
（３−４）共通事項
制御部４０は、コアンダ羽根３２の後端３２２と、形成壁１１５の上壁１１１との間に隙間Ｃが形成されるようにコアンダ羽根３２の姿勢を調整するので、例えば、冷房運転時、コアンダ羽根３２の第１面３２ａ及び内側湾曲面の両面に吹出空気が導かれる。つまり、コアンダ羽根３２の両面に冷風が通過するので、コアンダ羽根への結露が防止される。
【００８６】
（４）動作
上記のような吹出空気の方向制御を利用した空調室内機の動作について、以下、図面を参照しながら説明する。
【００８７】
（４−１）コアンダ風向設定
（４−１−１）コアンダ羽根３２の第１姿勢
図６Ａは、コアンダ羽根３２が第１姿勢をとるときのコアンダ気流の風向を示す空調室内機設置空間の側面図である。図６Ａにおいて、空調室内機１０は室内側壁の上方に設置されている。コアンダ羽根３２は、収容部１３０に収納されている状態（以後、第１姿勢とよぶ）である。コアンダ羽根３２が第１姿勢のときに風向調整羽根３１の姿勢を水平よりも上向きにすることによって、風向調整羽根３１の内側面３１ｂで風向調整された吹出空気がその内側面３１ｂを離れた後、コアンダ羽根３２の第１面３２ａに引っ張られるように方向を変え、第１コアンダ気流となってコアンダ羽根３２の第１面３２ａおよび前面パネル１１ｂに沿うように流れる。
【００８８】
ここで、ユーザーがコアンダ気流を選択する方法について説明する。図７Ａは、制御部４０とリモコン５０との関係を示すブロック図である。図７Ａにおいて、リモコン５０は赤外線信号を無線で送信する。リモコン５０には、風向を切り換えるための切換手段を有している。具体的には、ユーザーが風向を選択できるように、風向選択メニューを表示する表示部５２と、各風向選択メニューを指定するためのカーソル５２ａを有している。
【００８９】
先ず、ユーザーは、表示部５２に表示されたメニューの中から「コアンダ風向設定」をカーソル５２ａで選択する。なお、リモコン５０によるメニューの選択および確定するための技術は広く公開されているので詳細な説明は省略する。
【００９０】
図７Ｂは、「コアンダ風向設定」メニューの下位メニューを表した表示部５２の正面図である。図７Ｂにおいて、「コアンダ風向設定」メニューの下位メニューには、第１〜第５コアンダ角度が予め準備されており、カーソル５２ａで第１コアンダ角度を指定して確定することによって、コアンダ羽根３２は図６Ａに示す第１姿勢をとり、第１コアンダ角度に応じた第１の向きのコアンダ気流が発生する。
【００９１】
（４−１−２）コアンダ羽根３２の第２姿勢および第３姿勢
次に、図６Ｂは、コアンダ羽根３２が第２姿勢をとるときのコアンダ気流の風向を示す空調室内機設置空間の側面図である。図６Ｂにおけるコアンダ羽根３２の第２姿勢は、図７Ｂにおいてカーソル５２ａで第２コアンダ角度を指定し確定することによって成し得る。コアンダ羽根３２が第２姿勢のときに発生するコアンダ気流は、「（３−２−２）コアンダ気流天井吹き」の段で説明したコアンダ気流に相当する。第２コアンダ角度が選択されたとき、図３Ｄに示すように、制御部４０は風向調整羽根３１の内側湾曲面３１ｂｂの前方端Ｅ１における接線Ｌ１が水平になるまで風向調整羽根３１を回動させ、次に、第１面３２ａの凸状湾曲面３２ａａの前方端Ｅ２における接線Ｌ２が前方上向きとなるまでコアンダ羽根３２を回動させる。したがって、風向調整羽根３１の内側湾曲面３１ｂｂの前方端Ｅ１における接線Ｌ１方向が前方吹きであっても、コアンダ羽根３２の凸状湾曲面３２ａａの前方端Ｅ２における接線Ｌ２方向が前方上吹きであるので、吹出空気は、コアンダ効果によってコアンダ羽根３２の凸状湾曲面３２ａａの前方端Ｅ２における接線Ｌ２方向、すなわち天井方向に吹き出される。
【００９２】
なお、一旦、コアンダ気流が発生すると、風向調整羽根３１を動かさずにコアンダ羽根３２の角度のみを変動させてコアンダ気流の風向を調整することができる。例えば、図８Ａは、コアンダ羽根３２が第３姿勢のときの風向調整羽根３１とコアンダ羽根３２の側面図である。図８Ａにおいて、コアンダ羽根３２の第３姿勢は第２姿勢よりも下向きである。なお、図８Ａでは、比較のために第２姿勢のコアンダ羽根３２を２点鎖線で、第３姿勢のコアンダ羽根３２を実線で描いている。
【００９３】
第２姿勢でコアンダ気流が確実に発生し、且つ、風向調整羽根３１の姿勢が変わらないとすれば、第２姿勢よりも下向きである第３姿勢でコアンダ気流がコアンダ羽根３２の第１面３２ａから剥離しないことは明らかである。このように、コアンダ気流天井吹きを実施したいときは、図７Ｂにおいてカーソル５２ａで第２コアンダ角度、若しくは第３コアンダ角度を選択することによって成し得る。
【００９４】
本実施形態では、コアンダ羽根３２の第２姿勢および第３姿勢は、調和空気を遠方に飛ばしたいときに選択されることを想定している。例えば、吹出口１５から天井までの高さ距離、および吹出口１５からその対面壁までの対面距離がともに大きい場合は、コアンダ羽根３２の姿勢は第２姿勢が好ましい。他方、吹出口１５から天井までの高さ距離は小さいが、吹出口１５からその対面壁までの対面距離が大きい場合などはコアンダ羽根３２の姿勢は第３姿勢が好ましい。このようにユーザーは、リモコン５０を介して室内空間の大きさに応じてコアンダ羽根３２の姿勢を選択することができるので、使い勝手がよい上に、調和空気を空調対象空間に均一に行き渡らせることが可能となる。
【００９５】
（４−１−３）コアンダ羽根３２の第４姿勢および第５姿勢
さらに、図６Ｃは、コアンダ羽根３２が第４姿勢をとるときのコアンダ気流の風向を示す空調室内機設置空間の側面図である。図６Ｃにおけるコアンダ羽根３２の第４姿勢は、図７Ｂにおいてカーソル５２ａで第４コアンダ角度を指定し確定することによって成し得る。コアンダ羽根３２が第４姿勢のときに発生するコアンダ気流は、「（３−２−１）コアンダ気流前方吹き」の段で説明したコアンダ気流に相当する。第４コアンダ角度が選択されたとき、図３Ｃに示すように、制御部４０は、風向調整羽根３１の内側湾曲面３１ｂｂの前方端Ｅ１における接線Ｌ１が水平よりも前下がりになるまで風向調整羽根３１を回動させ、次に、第１面３２ａの凸状湾曲面３２ａａの前方端Ｅ２における接線Ｌ２が略水平になる位置までコアンダ羽根３２を回動させる。したがって、風向調整羽根３１の内側湾曲面３１ｂｂの前方端Ｅ１における接線Ｌ１方向が前方下吹きであっても、コアンダ羽根３２の凸状湾曲面３２ａａの前方端Ｅ２における接線Ｌ２方向が水平であるので、吹出空気は、コアンダ効果によってコアンダ羽根３２の凸状湾曲面３２ａａの前方端Ｅ２における接線Ｌ２方向、すなわち水平方向に吹き出される。
【００９６】
なお、一旦、コアンダ気流が発生すると、風向調整羽根３１を動かさずにコアンダ羽根３２の角度のみを変動させてコアンダ気流の風向を調整することができる。例えば、図８Ｂは、コアンダ羽根３２が第５姿勢のときの風向調整羽根３１とコアンダ羽根３２の側面図である。図８Ｂにおいて、コアンダ羽根３２の第５姿勢は第４姿勢よりも下向きである。なお、図８Ｂでは、比較のために第４姿勢のコアンダ羽根３２を２点鎖線で、第５姿勢のコアンダ羽根３２を実線で描いている。
【００９７】
第４姿勢でコアンダ気流が確実に発生し、且つ、風向調整羽根３１の姿勢が変わらないとすれば、第４姿勢よりも下向きである第５姿勢でコアンダ気流がコアンダ羽根３２の第１面３２ａから剥離しないことは明らかである。このように、コアンダ気流前方吹きを実施したいときは、図７Ｂにおいてカーソル５２ａで第４コアンダ角度、若しくは第５コアンダ角度を選択することによって成し得る。
【００９８】
なお、上記の説明で明らかなように、コアンダ羽根３２の第１姿勢、第２姿勢および第４姿勢それぞれに対して風向調整羽根３１の姿勢が異なる。言い換えると、コアンダ羽根３２によるコアンダ気流は、風向調整羽根３１の姿勢とコアンダ羽根３２の姿勢との組み合わせによって如何なる方向にも仕向けることができる。
【００９９】
（４−１−４）コアンダ羽根３２の第６姿勢
さらに、図６Ｄは、コアンダ羽根３２が第６姿勢をとるときのコアンダ気流の風向を示す空調室内機設置空間の側面図である。図６Ｄにおけるコアンダ羽根３２の第６姿勢は、図７Ｂにおいてカーソル５２ａで第６コアンダ角度を指定し確定することによって成し得る。
【０１００】
コアンダ羽根３２が第６姿勢のときに発生するコアンダ気流は、「（３−２−３）コアンダ気流床吹き」の段で説明したコアンダ気流に相当する。第６コアンダ角度が選択されたとき、図３Ｅに示すように、制御部４０は、風向調整羽根３１の内側湾曲面３１ｂｂの前方端Ｅ１における接線Ｌ１が下向きになるまで風向調整羽根３１を回動させ、次に、第１面３２ａの凸状湾曲面３２ａａの前方端Ｅ２における接線Ｌ２が下向きになる位置までコアンダ羽根３２を回動させる。したがって、風向調整羽根３１の内側湾曲面３１ｂｂの前方端Ｅ１における接線Ｌ１方向、及びコアンダ羽根３２の凸状湾曲面３２ａａの前方端Ｅ２における接線Ｌ２方向が共に下向きであるので、コアンダ羽根３２と風向調整羽根３１との間を通る吹出空気は、コアンダ効果によってコアンダ羽根３２の凹状湾曲面３２ｂｂの前方端Ｅ２ｕにおける接線Ｌ２ｕ方向に吹き出される。
【０１０１】
他方、コアンダ羽根３２の後端と吹出口１５の形成壁１１５の上壁１１１との隙間を通ってコアンダ羽根３２の凸状湾曲面３２ａａに沿うコアンダ気流は、凸状湾曲面３２ａａの前方端Ｅ２における接線Ｌ２の方向に向って進む、床向きの気流である。
【０１０２】
凹状湾曲面３２ｂｂに沿った床向きのコアンダ気流は、凸状湾曲面３２ａａに沿った床向きのコアンダ気流に合流して床吹きとなる。
【０１０３】
（５）コアンダ羽根３２の駆動機構
図９Ａは、第１姿勢をとるコアンダ羽根３２の斜視図である。図９Ａにおいて、コアンダ羽根３２の第２面３２ｂには、第１前方連結部３３１、及び第２前方連結部３３２が設けられている。第１前方連結部３３１、及び第２前方連結部３３２は、コアンダ羽根３２の収納位置において第２面３２ｂの前方端側で、第２面３２ｂの長手方向に沿って所定間隔で配置されている。
【０１０４】
さらに、第２面３２ｂには、第１後方連結部３４１が設けられている。第１後方連結部３４１は、コアンダ羽根３２の収納位置において第２面３２ｂの後方端側で、第２面３２ｂの長手方向中央部に配置されている。
【０１０５】
第１前方連結部３３１及び第２前方連結部３３２それぞれには、円弧状のラック部材４６の一端が連結される。ラック部材４６は、凸側面にラックアンドピニオン機構のラック４６ａが形成されており、ラック部材４６はラック４６ａを上方に向けた姿勢をとる。
【０１０６】
また、第１後方連結部３４１には、折り畳み可能なリンク部材４７の一端が連結されている。リンク部材４７は、２つの棒状部材の端部同士が回転自在に接合された構成である。リンク部材４７の２つの棒状部材のうち第１後方連結部３４１に接続されている側を第１リンク４７ａとよび、第１後方連結部３４１に接続されていない側を第２リンク４７ｂとよぶ。
【０１０７】
本体ケーシング１１の内部には、第１ステッピングモータ６１が搭載されており、第１ステッピングモータ６１の回転軸にはピニオンギア６１ａが取り付けられている。ピニオンギア６１ａはラック４６ａと噛み合っており、第１ステッピングモータ６１がピニオンギア６１ａを時計方向に回転させることによって、ラック部材４６が前方に向って移動し、コアンダ羽根３２の前端部が前方に向って迫り出す。これを、第１ステッピングモータ６１の第１動作とよぶ。
【０１０８】
逆に、第１ステッピングモータ６１がピニオンギア６１ａを反時計方向に回転させることによって、ラック部材４６が本体ケーシング１１の奥側に向って後退する。これを、第１ステッピングモータ６１の第２動作とよぶ。
【０１０９】
さらに、本体ケーシング１１の内部には、第２ステッピングモータ６２が搭載されており、第２ステッピングモータ６２の回転軸には駆動ギア６２ａが取り付けられている。また、リンク部材４７の第２リンク４７ｂの端部に被駆動ギア４８が設けられており、第２ステッピングモータ６２が駆動ギア６２ａを介して被駆動ギア４８を時計方向に回転させることによって、節４７ｃを中心に第１リンク４７ａと第２リンク４７ｂとが成す中心角が拡大し、コアンダ羽根３２の後端部が前方に向って迫り出す。これを、第２ステッピングモータ６２の第１動作とよぶ。
【０１１０】
逆に、駆動ギア６２ａが被駆動ギア４８を反時計方向に回転させることによって、節４７ｃを中心に第１リンク４７ａと第２リンク４７ｂとが成す中心角が縮小し、コアンダ羽根３２の後端部が本体ケーシング１１の奥側に向って後退する。これを、第２ステッピングモータ６２の第２動作とよぶ。
【０１１１】
したがって、第１ステッピングモータ６１の第１動作と第２ステッピングモータ６２の第１動作とが、同時または連続して実行されることによって、コアンダ羽根３２が前方に向って迫り出す。また、第１ステッピングモータ６１の第２動作と第２ステッピングモータ６２の第２動作とが、同時または連続して実行されることによって、コアンダ羽根３２が後退する。
【０１１２】
図９Ｂは、第２姿勢をとるコアンダ羽根３２の斜視図である。また、図９Ｃは、第６姿勢をとるコアンダ羽根３２の斜視図である。図９Ｂにおいて、コアンダ羽根３２の第２姿勢（暖房運転時の天井吹き姿勢）は、第１姿勢を基準とした場合、第１ステッピングモータ６１がピニオンギア６１ａを時計方向に角度Ａ１だけ回転させ、第２ステッピングモータ６２が被駆動ギア４８を時計方向に角度Ｂ１だけ回転させることによって、実現される。
【０１１３】
また、図９Ｃにおいて、コアンダ羽根３２の第６姿勢（暖房運転時の床吹き姿勢）は、第１姿勢を基準とした場合、第１ステッピングモータ６１がピニオンギア６１ａを時計方向に角度Ａ１だけ回転させ、第２ステッピングモータ６２が被駆動ギア４８を時計方向に角度Ｂ２だけ回転させることによって、実現される。なお、角度Ｂ２≧角度Ｂ１である。
【０１１４】
（６）特徴
（６−１）
空調室内機１０では、コアンダ羽根３２の第１面３２ａが凸状の凸状湾曲面３２ａａを含み、吹出空気を凸状湾曲面３２ａａに沿わせたコアンダ気流にする。制御部４０は、上吹きのコアンダ気流を生じさせるときは凸状湾曲面３２ａａが下を向くようにコアンダ羽根３２の姿勢を調整し、下吹きのコアンダ気流を生じさせるときは凸状湾曲面３２ａａが上を向くようにコアンダ羽根３２の姿勢を調整する。つまり、コアンダ羽根３２は、上吹き及び下吹きの両方で活用される。
【０１１５】
（６−２）
空調室内機１０では、第１ステッピングモータ６１、第２ステッピングモータ６２を含む駆動機構によって、コアンダ羽根３２はその長手方向と平行な軸を中心に回転することができる。制御部４０は、その駆動機構を介してコアンダ羽根３２の姿勢を調整する。コアンダ羽根３２の回転量を制御することによって、コアンダ羽根３２の凸状湾曲面３２ａａを下に向けることも、上に向けることも可能であり、コアンダ羽根３２の上吹きに適した姿勢および下吹きに適した姿勢のいずれにも容易に切り換えることができる。
【０１１６】
（６−３）
空調室内機１０では、制御部４０が、冷房運転時、コアンダ羽根３２の凸状湾曲面３２ａａ及び凹状湾曲面３２ｂｂの両面に吹出空気が導かれるように、コアンダ羽根３２の姿勢を調整する。コアンダ羽根３２の両面に冷風が通過するので、コアンダ羽根への結露が防止される。
【０１１７】
（６−４）
空調室内機１０では、制御部４０が、コアンダ羽根３２の後端３２２と、吹出口１５の形成壁１１５の上壁１１１との間に隙間Ｃが形成されるように、コアンダ羽根３２の姿勢を調整している。コアンダ羽根３２の両面は冷風で包み込まれるので、片面のみが冷却されて結露するような現象が防止される。
【０１１８】
（７）変形例
上記実施形態では、駆動機構を用いてコアンダ羽根３２の姿勢を制御しているが、それに限定されるものではない。図１０Ａは、変形例に係る空調室内機１０のコアンダ羽根３２が下吹き姿勢のときの風向調整羽根３１とコアンダ羽根３２の側面図である。また、図１０Ｂは、変形例に係る空調室内機１０のコアンダ羽根３２が第６姿勢のときの風向調整羽根３１とコアンダ羽根３２の側面図である。
【０１１９】
図１０Ａにおいて、コアンダ羽根３２はバイメタル材で成形されている。コアンダ羽根３２の第１面３２ａ側は低膨張金属であり、第２面３２ｂ側は高膨張金属である。コアンダ羽根３２は、温度が上昇するにつれて第２面３２ｂの金属が第１面３２ａの金属より大きく膨張するので、凹状の第２面３２ｂが徐々に平坦に近づき、温度が所定温度帯を超えたとき、図１０Ｂに示すような第２面３２ｂが凸状に変形する。
【０１２０】
例えば、暖房運転時、床吹きのコアンダ気流を生じさせたいとき、コアンダ羽根３２及び風向調整羽根３１を通常下吹き姿勢にする。吹出口１５からは暖められた空気が吹き出されるので、コアンダ羽根３２の温度は徐々に上昇し、上記の動作原理に基づき、コアンダ羽根３２の温度が所定温度帯を超えたとき、図１０Ｂに示すような第２面３２ｂが凸状の第６姿勢のコアンダ羽根３２に切り換わる。つまり、湾曲面が形成される面がコアンダ羽根３２の第１面３２ａから第２面３２ｂに切り換わる。その結果、吹出空気は第２面３２ｂに沿った床向きのコアンダ気流になる。
【０１２１】
なお、冷房運転時は、元々、コアンダ羽根３２の凸状の第１面３２ａを下にした状態であるので、吹出空気は第１面３２ａに沿った上向きのコアンダ気流になる。
【産業上の利用可能性】
【０１２２】
本発明は、壁掛け式空調室内機に有用である。
【符号の説明】
【０１２３】
１０  空調室内機
１５  吹出口
３２  コアンダ羽根
３２ａ  第１面（湾曲面）
【先行技術文献】
【特許文献】
【０１２４】
【特許文献１】特開２００４−２３２９４３号公報
【図１】
0005953748.tif 000002
【図２Ａ】
0005953748.tif 000003
【図２Ｂ】
0005953748.tif 000004
【図２Ｃ】
0005953748.tif 000005
【図３Ａ】
0005953748.tif 000006
【図３Ｂ】
0005953748.tif 000007
【図３Ｃ】
0005953748.tif 000008
【図３Ｄ】
0005953748.tif 000009
【図３Ｅ】
0005953748.tif 000010
【図３Ｆ】
0005953748.tif 000011
【図４Ａ】
0005953748.tif 000012
【図４Ｂ】
0005953748.tif 000013
【図５Ａ】
0005953748.tif 000014
【図５Ｂ】
0005953748.tif 000015
【図６Ａ】
0005953748.tif 000016
【図６Ｂ】
0005953748.tif 000017
【図６Ｃ】
0005953748.tif 000018
【図６Ｄ】
0005953748.tif 000019
【図７Ａ】
0005953748.tif 000020
【図７Ｂ】
0005953748.tif 000021
【図８Ａ】
0005953748.tif 000022
【図８Ｂ】
0005953748.tif 000023
【図９Ａ】
0005953748.tif 000024
【図９Ｂ】
0005953748.tif 000025
【図９Ｃ】
0005953748.tif 000026
【図１０Ａ】
0005953748.tif 000027
【図１０Ｂ】
0005953748.tif 000028